(57)【要約】【課題】圧着端子を用いることなく、より太い電線を接続可能な端子台を提供する。【解決手段】端子台１は、絶縁性筐体としてのケース１０と、板状の本体部２１上に入力側端子部２２と出力側端子部２３とが設けられ且つケース１０に取り付けられる導電金具２０とを備え、導電金具２０は、本体部２１における入力側端子部２２にブロック部２４が一体的に設けられているので、開口部２４ａ内に入力側電線Ｃ１端部の導体部分Ｃ１ａを挿入した状態で上面部２４ｂからネジ穴２４ｃを介して止めネジ２５を締め付けることによって入力側電線Ｃ１を導電金具２０に接続固定することができる。【選択図】図４
2009259576.tif 000002
【特許請求の範囲】
【請求項１】
絶縁性筐体と、板状の本体部上に入力側端子部と出力側端子部とが設けられ且つ前記絶縁性筐体に取り付けられる導電金具とを備えた端子台において、
前記導電金具は、前記本体部における前記入力側端子部及び前記出力側端子部の少なくとも一方に電線を挿入可能な開口部を有するブロック部が一体的に設けられ、
前記ブロック部は、その上面部から前記開口部へ貫通するネジ穴が設けられ、前記開口部内に電線の端部を挿入した状態で前記上面部から前記ネジ穴を介して止めネジを締め付けることによって前記電線を接続固定可能に構成されたことを特徴とする端子台。
【請求項２】
前記導電金具は、前記本体部における前記入力側端子部及び前記出力側端子部の一方に前記ブロック部が一体的に設けられ、前記開口部内に一方側の電線の端部を挿入した状態で前記上面部から前記ネジ穴を介して止めネジを締め付けることによって前記一方側の電線を接続固定可能に構成されると共に、他方に端子ネジ用のネジ穴が設けられ、他方側の電線に接続された圧着端子を端子ネジで締め付けることにより前記他方側の電線を接続固定可能に構成されたことを特徴とする請求項１に記載の端子台。
【請求項３】
前記導電金具は、前記本体部における前記入力側端子部及び前記出力側端子部の両方の上面に前記ブロック部がそれぞれ一体的に設けられたことを特徴とする請求項１に記載の端子台。
【請求項４】
前記導電金具の前記ブロック部に設けられた前記開口部は、矩形状に形成されたことを特徴とする請求項１乃至３のいずれか１つに記載の端子台。
【請求項５】
板状の本体部上に入力側端子部と出力側端子部とが設けられ且つ端子台の絶縁性筺体に取り付けられる端子台用導電金具において、
前記本体部の前記入力側端子部及び前記出力側端子部の少なくとも一方に、電線を挿入可能な開口部を有するブロック部が一体的に形成され、
前記ブロック部は、その上面部から前記開口部へ貫通するネジ穴が設けられたことを特徴とする端子台用導電金具。
【請求項６】
前記本体部における前記入力側端子部及び前記出力側端子部の一方に前記ブロック部が一体的に設けられ、他方に端子ネジ用のネジ穴が設けられたことを特徴とする請求項５に記載の端子台用導電金具。
【請求項７】
前記本体部における前記入力側端子部及び前記出力側端子部の両方に前記ブロック部がそれぞれ一体的に設けられたことを特徴とする請求項５に記載の端子台用導電金具。
【請求項８】
前記ブロック部に設けられた前記開口部は、矩形状に形成されたことを特徴とする請求項５乃至７のいずれか１つに記載の端子台用導電金具。
【発明の詳細な説明】
【技術分野】
【０００１】
本発明は端子台に関し、特に複数の電線を中継接続するための端子台に関する。
【背景技術】
【０００２】
従来、複数の電線を中継接続するための端子台が実用に供されている（例えば、特許文献１等参照。）。ここで、図７（ａ）は、従来例の端子台１０１を示す平面図であり、（ｂ）は端子台１０１の一の使用例を示す断面図である。従来例の端子台１０１は、絶縁性のケース１１０と、ケース１１０に固定される導電金具１２０とを備えている。また、導電金具１２０は、長手方向（図で前後方向）の一端側と他端側とにネジ穴がそれぞれ設けられ、一端側のネジ穴には端子ネジ１３１が、他端側のネジ穴には端子ネジ１３２がそれぞれ螺合する。そして、例えば、図７（ｂ）に示すように、先端に圧着端子ＣＴ１を取り付けた入力側電線Ｃ１は、端子ネジ１３１で圧着端子ＣＴ１を締め付けることにより導電金具１２０に対して接続固定される。同様に、先端に圧着端子ＣＴ２を取り付けた出力側電線Ｃ２は、端子ネジ１３２で圧着端子ＣＴ２を締め付けることにより導電金具１２０に対して接続固定される。
【０００３】
一方、電線の接続に圧着端子の使用が規格上認められない国や地域においては、ユーザによって接続される装置外部側の電線を、圧着端子を使用することなく接続することが求められる。図７（ｃ）は、従来例の端子台１０１における他の使用例を示す断面図であり、圧着端子ＣＴ１を使用することなく入力側電線Ｃ１を接続した使用状態を示している。図７（ｃ）に示す使用例では、端子台１０１において、電線Ｃ１‘先端より露出する導体部分Ｃ１ａ’を端子ネジ１３１の座金で押圧して導電金具１２０に接続固定している。
【特許文献１】特開２００３−２９７４５４号公報
【発明の開示】
【発明が解決しようとする課題】
【０００４】
しかしながら、上述した従来の端子台１０１では、端子ネジ１３１の足が邪魔になるため、太い電線を接続することができないという問題がある。また、電線Ｃ１’の導体部分Ｃ１ａ‘と導電金具１２０とが点接触となっているため、接触抵抗が大きく、電流値が変化したり、発熱や発火が生じたりする可能性がある。さらに、電線が弛んで端子台から外れやすく危険であるという問題もある。
【０００５】
本発明は上記課題に鑑みてなされたものであり、圧着端子を用いることなく、より太い電線を接続可能な端子台を提供することを目的とする。
【課題を解決するための手段】
【０００６】
以下、上記課題を解決するのに適した各手段につき、必要に応じて作用効果等を付記しつつ説明する。
【０００７】
１．絶縁性筐体と、板状の本体部上に入力側端子部と出力側端子部とが設けられ且つ前記絶縁性筐体に取り付けられる導電金具とを備えた端子台において、
前記導電金具は、前記本体部における前記入力側端子部及び前記出力側端子部の少なくとも一方に電線を挿入可能な開口部を有するブロック部が一体的に設けられ、
前記ブロック部は、その上面部から前記開口部へ貫通するネジ穴が設けられ、前記開口部内に電線の端部を挿入した状態で前記上面部から前記ネジ穴を介して止めネジを締め付けることによって前記電線を接続固定可能に構成されたことを特徴とする端子台。
【０００８】
手段１によれば、絶縁性筐体と、板状の本体部上に入力側端子部と出力側端子部とが設けられ且つ絶縁性筐体に取り付けられる導電金具とを備えた端子台において、導電金具は、本体部における入力側端子部及び出力側端子部の少なくとも一方に電線を挿入可能な開口部を有するブロック部が一体的に設けられている。そして、ブロック部は、その上面部から開口部へ貫通するネジ穴が設けられているので、開口部内に電線の端部（例えば、単線又はヨリ線の導体部分）を挿入した状態で上面部からネジ穴を介して止めネジを締め付けることによって電線を接続固定することができる。
【０００９】
よって、圧着端子を用いることなく、より太い電線を導電金具へ接続することができる。すなわち、座金付きネジで電線先端の導体部分を押圧する従来の接続方法では、ネジの足部が邪魔になり、太い電線を接続できないという問題があったが、本手段によれば、ブロック部の開口部内に電線端部の導体部分を挿入可能な範囲で、より太い電線を接続することが可能である。また、電線端部の導体部分を止めネジで直接押圧するため、電線導体部分を導電金具に面接触させて強固に導電金具への接続固定を行うことができ、電線の弛みや抜けを防止することができる。さらに、電線導体部分と導電金具とが面接触することによって、接触抵抗が小さくなり、発熱や発火等を防止して安全性の向上を図ることができる。
【００１０】
２．前記導電金具は、前記本体部における前記入力側端子部及び前記出力側端子部の一方に前記ブロック部が一体的に設けられ、前記開口部内に一方側の電線の端部を挿入した状態で前記上面部から前記ネジ穴を介して止めネジを締め付けることによって前記一方側の電線を接続固定可能に構成されると共に、他方に端子ネジ用のネジ穴が設けられ、他方側の電線に接続された圧着端子を端子ネジで締め付けることにより前記他方側の電線を接続固定可能に構成されたことを特徴とする手段１に記載の端子台。
【００１１】
手段２によれば、導電金具は、本体部における入力側端子部及び出力側端子部の一方にブロック部が一体的に設けられているので、開口部内に一方側の電線の端部を挿入した状態で上面部からネジ穴を介して止めネジを締め付けることによって一方側の電線を接続固定することができる。また、本体部における入力側端子部及び出力側端子部の他方には、端子ネジ用のネジ穴が設けられているので、他方側の電線に接続された圧着端子を端子ネジで締め付けることにより他方側の電線を接続固定することができる。
【００１２】
従って、例えば、装置メーカによって配線が行われる装置内部側の電線は、圧着端子を用いて導電金具に接続固定する一方、ユーザにおいて配線が行われる装置外部側の電線は、圧着端子を用いることなく電線先端の導体部分を止めネジで直接押圧して導電金具へ接続固定することができる。
【００１３】
３．前記導電金具は、前記本体部における前記入力側端子部及び前記出力側端子部の両方の上面に前記ブロック部がそれぞれ一体的に設けられたことを特徴とする手段１に記載の端子台。
【００１４】
手段３によれば、導電金具は、本体部における入力側端子部及び出力側端子部の両方の上面にブロック部がそれぞれ一体的に設けられているので、入出力両側の電線を、圧着端子を用いることなく電線先端の導体部分を止めネジで直接押圧して導電金具へ接続固定することができる。
【００１５】
４．前記導電金具の前記ブロック部に設けられた前記開口部は、矩形状に形成されたことを特徴とする手段１乃至３のいずれか１つに記載の端子台。
【００１６】
手段４によれば、導電金具のブロック部に設けられた開口部が矩形状に形成されているので、電線の端部が挿入される開口部内の空間を大きく確保することができ、よりサイズの大きい電線を接続固定することが可能となる。
【００１７】
５．板状の本体部上に入力側端子部と出力側端子部とが設けられ且つ端子台の絶縁性筺体に取り付けられる端子台用導電金具において、
前記本体部の前記入力側端子部及び前記出力側端子部の少なくとも一方に、電線を挿入可能な開口部を有するブロック部が一体的に形成され、
前記ブロック部は、その上面部から前記開口部へ貫通するネジ穴が設けられたことを特徴とする端子台用導電金具。
【００１８】
手段５によれば、板状の本体部上に入力側端子部と出力側端子部とが設けられ且つ端子台の絶縁性筺体に取り付けられる端子台用導電金具において、本体部における入力側端子部及び出力側端子部の少なくとも一方に電線を挿入可能な開口部を有するブロック部が一体的に設けられている。そして、ブロック部は、その上面部から開口部へ貫通するネジ穴が設けられているので、開口部内に電線の端部を挿入した状態で上面部からネジ穴を介して止めネジを締め付けることによって電線を接続固定することができる。
【００１９】
よって、圧着端子を用いることなく、より太い電線を導電金具へ接続することができる。すなわち、座金付きネジで電線先端の導体部分を押圧する従来の接続方法では、ネジの足部が邪魔になり、太い電線を接続できないという問題があったが、本手段によれば、ブロック部の開口部内に電線端部の導体部分を挿入可能な範囲で、より太い電線を接続固定することが可能である。また、電線端部の導体部分を止めネジで直接押圧するため、電線導体部分を導電金具に面接触させて強固に導電金具への接続固定を行うことができ、電線の弛みや抜けを防止することができる。さらに、電線導体部分と導電金具とが面接触することによって、接触抵抗が小さくなり、発熱や発火等を防止して安全性の向上を図ることができる。
【００２０】
６．前記本体部における前記入力側端子部及び前記出力側端子部の一方に前記ブロック部が一体的に設けられ、他方に端子ネジ用のネジ穴が設けられたことを特徴とする手段５に記載の端子台用導電金具。
【００２１】
手段６によれば、本体部における入力側端子部及び出力側端子部の一方にブロック部が一体的に設けられているので、開口部内に一方側の電線の端部を挿入した状態で上面部からネジ穴を介してネジを締め付けることによって一方側の電線を接続固定することができる。また、本体部における入力側端子部及び出力側端子部の他方には、端子ネジ用のネジ穴が設けられているので、他方側の電線に接続された圧着端子を端子ネジで締め付けることにより他方側の電線を接続固定することができる。
【００２２】
従って、例えば、装置メーカによって配線が行われる装置内部側の電線は、圧着端子を用いて導電金具に接続固定する一方、ユーザにおいて配線が行われる装置外部側の電線は、圧着端子を用いることなく電線先端の導体部分を止めネジで直接押圧して導電金具へ接続固定することができる。
【００２３】
７．前記本体部における前記入力側端子部及び前記出力側端子部の両方に前記ブロック部がそれぞれ一体的に設けられたことを特徴とする手段５に記載の端子台用導電金具。
【００２４】
手段７によれば、本体部における入力側端子部及び出力側端子部の両方の上面にブロック部がそれぞれ一体的に設けられているので、入出力両側の電線を、圧着端子を用いることなく電線先端の導体部分を止めネジで直接押圧して導電金具へ接続固定することができる。
【００２５】
８．前記ブロック部に設けられた前記開口部は、矩形状に形成されたことを特徴とする手段５乃至７のいずれか１つに記載の端子台用導電金具。
【００２６】
手段８によれば、ブロック部に設けられた開口部が矩形状に形成されているので、電線の端部が挿入される開口部内の空間を大きく確保することができ、よりサイズの大きい電線を接続することが可能となる。
【発明の効果】
【００２７】
本発明によれば、圧着端子を用いることなく、より太い電線を導電金具へ接続固定することができる。すなわち、本手段によれば、ブロック部の開口部内に電線端部の導体部分を挿入可能な範囲で、より太い電線を接続固定することが可能である。また、電線端部の導体部分を止めネジで直接押圧するため、電線導体部分を導電金具に面接触させて強固に導電金具への接続固定を行うことができ、電線の弛みや抜けを防止することができる。さらに、電線導体部分と導電金具とが面接触することによって、接触抵抗が小さくなり、発熱や発火等を防止して安全性の向上を図ることができる。
【発明を実施するための最良の形態】
【００２８】
以下、本発明の端子台及び端子台用導電金具を具体化した一実施形態について図面を参照しつつ説明する。図１は、本発明の一実施形態の端子台１を示す図であり、（ａ）は平面図、（ｂ）は正面図、（ｃ）は背面図、（ｄ）は側面図、（ｅ）は（ｂ）におけるＡ−Ａ線断面図である。図２は、端子台１の記号板３０及びカバー４０を取り外した状態を示す図であり、（ａ）は平面図、（ｂ）は正面図である。図３は、導電金具２０を示す図であり、（ａ）は平面図、（ｂ）は正面図、（ｃ）は側面図、（ｄ）は止めネジ２５及び端子ネジ２６を導電金具２０へ取り付ける様子を示す図である。
【００２９】
端子台１は、図１，２に示すように、９個の台座部１１を有するケース１０と、入力側端子部２１及び出力側端子部２２が設けられる導電金具２０と、記号板３０と、透明カバー４０とを主要部材として構成されている。
【００３０】
ケース１０は、絶縁性及び熱安定性に優れた合成樹脂材料（例えば、ポリブチレンテレフタレート）からなる上面及び前後面が開放された略箱形を呈する絶縁性の筐体である。尚、ケース１０は、合成樹脂製の複数のブロックを左右に連結し、前端及び後端の下部に挿通されたシャフト５０によって一体化されている。以下は、ケース１０が一体化された状態について各部の構成を説明する。
【００３１】
ケース１０には、９個の台座部１１が左右に隣接して配置され、互いに隣接する台座部１１間にそれぞれ仕切り壁部１８が立設されている。さらに、ケース１０の左右両端には、側壁部１９がそれぞれ立設されている。
【００３２】
仕切り壁部１８の前面及び後面の上端近傍には、透明カバー４０の前端部及び後端部を係止するために三角形状に切り欠かれた係止部１８ａが形成されている。仕切り壁部１８の前後方向中央の左右両面下部には、導電金具２０側端部を位置決めするために前後方向に延びる溝部１８ｂが形成され、各溝部１８ｂの上方には左右に突出する凸部１８ｃがそれぞれ設けられている。
【００３３】
側壁部１９には、端子台１をインバータ等の装置へ固定するための図示しない取り付けボルトの足部が挿入されるスリット状の取り付け部１９ａが前後方向中央に設けられている。側壁部１９の内側側面（右端の側壁部１９においては左側面、左端の側壁部１９においては右側面）下部には、導電金具２０側端部を位置決めするための溝部（図示せず）が前後方向に形成され、各溝部の上方には内側に突出する凸部１９ｂがそれぞれ設けられている。
【００３４】
各台座部１１は、導電金具２０が固定される平坦部分である。台座部１１には、前後方向中央を挟んで前方側と後方側とに、端子ボルト２６の足部を収容可能な凹部１１ａがそれぞれ設けられている。
【００３５】
導電金具２０は、導電性の良好な金属、例えば、黄銅やアルミニウム等からなり、図１乃至３に示すように、平板状の本体部２１の長手方向一方側に入力側端子部２２が設けられ、他方側に出力側端子部２３が設けられている。
【００３６】
入力側端子部２２には、ブロック部２４が本体部２１と一体的に形成されている。ブロック部２４は、全体として略立方体状の全体形状を呈し、前後に開口する矩形状の開口部２４ａが形成されている。また、ブロック部２４の上面部２４ｂには、開口部２４ａへ貫通するネジ穴２４ｃが設けられ、ネジ穴２４ｃには止めネジ２５が螺合している。止めネジ２５は、先端が平らな形状を有する公知の六角穴付き止めネジである。
【００３７】
出力側端子部２３には、本体部２１を上下に貫通するネジ穴２３ａが設けられ、ネジ穴２３ａには端子ボルト２６が螺合している。
【００３８】
尚、導電金具２０は、例えば、高温で溶融した黄銅やアルミニウム等の金属材料を金型に流し込み、ブロック部２４を含む金具全体を一体成型することにより作製される。
【００３９】
ここで、導電金具２０の取り付けは、ケース１０を構成する複数のブロックを連結させる際に行われる。すなわち、ケース１０を構成するブロックには、左端の側壁部１９とその右側の台座部１１とを一体成型してなる１個の左端ブロックと、仕切り壁部１８とその右側の台座部１１とを一体成型してなる８個の中間ブロックと、右端の側壁部１９からなる１個の右端ブロックとからなる。
【００４０】
そして、まず、左端用ブロックに対し、導電金具２０を側壁部１９右側面の溝部に位置決めしつつ台座部１１上面に載置する。次に、左端用ブロックに対して中間用ブロックを右側から連結する。このとき、左端用ブロックの台座部１１上面に載置された導電金具２０は、左側においては側壁部１９右側面の溝部及び凸部１９ｂにより、右側においては中間用ブロックの仕切り壁部１８の溝部１８ｂ及び凸部１８ｃにより上下方向への移動が規制されることによって台座部１１上に固定される。以下、全部で８個の中間用ブロックを順次連結しつつ導電金具２０の取り付けを行い、最後に右端用ブロックを連結した後、シャフト５０を挿通してナットを締め付けることによりケースの一体化が完了する。
【００４１】
記号板３０は、ケース１０の左右両側に設けられた側壁部１９間の長さと略同一の長さを有する合成樹脂製の細長い長方形板であり、導電金具２０に接続される複数の電線を識別するための記号が、上面に直接記入されたり又は記号を表示したシールが貼付されたりする。記号板３０は、両側壁部１９の内側より突設された凸１９ｂ上面及び各仕切り壁部１８上部に凹状に設けられた支持部１８ｄ上面に載置される。
【００４２】
透明カバー４０は、ポリカーボネート等の透明樹脂材料からなり、ケース１０上面を覆うように着脱可能に取付けられるカバー部材である。透明カバー４０の前後両端は、下方内向きに屈曲している。
【００４３】
次に、端子台１における入力側及び出力側の電線接続例について、図４を参照しつつ説明する。図４（ａ）は、入力側電線Ｃ１の導体部分Ｃ１ａをブロック部２４の開口部２４ａ内へ挿入する様子を示す断面図、（ｂ）は端子台１の使用状態を示す断面図、（ｃ）は端子台１の使用状態を示す平面図である。
【００４４】
端子台１には、入力側端子部２２に装置外部の電線Ｃ１が接続され、出力側端子部２３に装置内部の電線Ｃ２がそれぞれ接続される。また、端子台１は、左右２か所の取り付け部１９ａを介して図示しない取付けボルトによって装置側に固定されているものとする。
【００４５】
まず、ケース１０から透明カバー４０及び記号板３０を取り外した状態で、装置内部に配線される出力側の電線Ｃ２を１つの出力側端子部２３に接続する。すなわち、端子ボルト２６の足部を電線Ｃ２先端の圧着端子ＣＴ２の孔に座金を介して挿通し、さらに導電金具２０のネジ穴２３ａに挿通し螺合して締付けることにより圧着端子ＣＴ２を本体部２１に対して固着する。同様の作業を繰り返すことにより、残りの電線Ｃ２を各出力側端子部２３に接続する。尚、以上の出力側端子部２３への電線接続は装置内部側の配線であるため、装置の製造を行うメーカにおいて実施される。
【００４６】
一方、装置外部側の配線は、装置のユーザにおいて実施される。まず、ケース１０から透明カバー４０及び記号板３０を取り外した状態で、止めネジ２５を弛めて所望の高さまで上昇させる。次に、入力側の電線Ｃ１先端より露出する導体部分Ｃ１ａを、ブロック部２４の開口部２４ａ内へ挿入する（図４（ａ）参照）。この時、止めネジ２５が開口部２４ａ内で上昇した位置にあるため、止めネジ２５が邪魔になることなく、電線Ｃ１の導体部分Ｃ１ａを挿入可能である。尚、図４では、導体部分Ｃ１ａがヨリ線の場合を図示しているが、単線であっても構わない。続いて、止めネジ２５を締め付けて、電線Ｃ１を導電金具２０に対して押圧することにより接続固定する（図４（ｂ）、（ｃ）参照）。同様の作業を繰り返すことにより、残りの電線Ｃ１を各入力側端子部２２に接続固定する。
【００４７】
このようにして入力側電線Ｃ１及び出力側電線Ｃ２の接続固定が完了した後、記号板３０を左右に長手方向を向け、ケース１０の各仕切り壁部１８上面に形成された凹部に嵌め込む。
【００４８】
続いて、透明カバー４０をケース１０の各仕切り壁部１８の前後両端に位置合わせして係止部にて係止させることにより、ケース１０上面を覆う状態で固定される。
【００４９】
以上詳述したことから明らかなように、本実施形態によれば、端子台１は、絶縁性筐体としてのケース１０と、板状の本体部２１上に入力側端子部２２と出力側端子部２３とが設けられ且つケース１０に取り付けられる導電金具２０とを備え、導電金具２０は、本体部２１における入力側端子部２２にブロック部２４が一体的に設けられているので、開口部２４ａ内に入力側電線Ｃ１端部の導体部分Ｃ１ａを挿入した状態で上面部２４ｂからネジ穴２４ｃを介して止めネジ２５を締め付けることによって入力側電線Ｃ１を導電金具２０に接続固定することができる。一方、出力側端子部２３には、端子ボルト２６用のネジ穴２３ａが設けられているので、出力側電線Ｃ２に接続された圧着端子ＣＴ２を端子ボルト２６で締め付けることにより出力側電線Ｃ２を導電金具２０に接続固定することができる。
【００５０】
よって、圧着端子を用いることなく、より太い電線Ｃ１を導電金具２０へ接続することができる。すなわち、座金付きネジで電線先端の導体部分を押圧する従来の接続方法では、ネジの足部が邪魔になり、太い電線を接続できないという問題があったが、本実施形態によれば、ブロック部２４の開口部２４ａ内に電線Ｃ１端部の導体部分Ｃ１ａを挿入可能な範囲で、より太い電線を接続することが可能である。また、電線Ｃ１端部の導体部分Ｃ１ａを止めネジ２５で直接押圧するため、電線導体部分Ｃ１ａを導電金具２０に面接触させて強固に固定を行うことができ、電線Ｃ１の弛みや抜けを防止することができる。さらに、電線導体部分Ｃ１ａと導電金具２０とが面接触することによって、接触抵抗が小さくなり、発熱や発火等を防止して安全性の向上を図ることができる。
【００５１】
また、例えば、装置メーカによって配線が行われる装置内部側の電線Ｃ２は、圧着端子ＣＴ２を用いて導電金具２０に接続固定する一方、ユーザにおいて配線が行われる装置外部側の電線Ｃ１は、圧着端子を用いることなく電線Ｃ１先端の導体部分Ｃ１ａを止めネジ２５で直接押圧して導電金具２０へ接続固定することができる。
【００５２】
また、導電金具２０のブロック部２４に設けられた開口部２４ａが矩形状に形成されているので、電線Ｃ１端部の導体部分Ｃ１ａが挿入される開口部内２４ａの空間を大きく確保することができ、より太い電線を接続することが可能となる。
【００５３】
さらに、ケース１０上面を覆う透明カバー４０を備えているので、作業者が通電中の導電金具２０等に誤って接触して感電する事故等を防止することができると共に、透明カバー４０を取付けた状態で各電線の接続状態等の目視確認を行うことができる。また、金属片等の異物が、端子台１の導電金具上に落下して入り込むことを防止することができる。
【００５４】
尚、本発明は上述した実施の形態に限定されるものではなく、本発明の主旨を逸脱しない範囲で種々の変更を施すことが可能であることは云うまでもない。
【００５５】
例えば、上記実施形態では、入力側端子部２２の上面にブロック部２４を一体的に設け、出力側端子部２３に端子ボルト２６を取り付けた例を示したが、入力側と出力側とを入れ替えて使用することが可能であり、出力側端子部２３の上面にブロック部２４を一体的に設け、入力側端子部２２に端子ボルト２６を取り付ける構成としてもよい。
【００５６】
また、入力側端子部２２及び出力側端子部２３の両方の上面にブロック部２４をそれぞれ一体的に設ける構成としてもよい。ここで、図５は、変形例における導電金具２０‘を示す図であり、（ａ）は平面図、（ｂ）は正面図、（ｃ）は側面図、（ｄ）は入力側及び出力側の止めネジ２５を導電金具２０’へ取り付ける様子を示す図である。図６は、変形例における端子台１’の使用状態を示す断面図である。本変形例によれば、入出力両側の電線Ｃ１，Ｃ２について、圧着端子を用いることなく電線Ｃ１，Ｃ２先端の導体部分Ｃ１ａ，Ｃ２ａを止めネジ２５でそれぞれ直接押圧することにより導電金具２０’へ接続固定することができる。
【００５７】
また、上記実施形態では、端子台１の極数を９（台座部１１が９個）とした例を示したが、これには限られず、極数１でもよく、９以外の２以上の極数を有する構成としてもよい。上記実施形態では、ケース１０が１極ごとのブロックに分割されているので、所望数の分割ブロックをシャフト５０で一体化することにより極数を自在に増減することが可能である。あるいは、予め全体が一体成型された固定極数用の絶縁性筐体としてケース１０を構成してもよい。
【産業上の利用可能性】
【００５８】
本発明は、端子台において圧着端子を使用することなく電線を接続固定することが必要な場合に利用可能である。
【図面の簡単な説明】
【００５９】
【図１】本発明の一実施形態の端子台を示す図であり、（ａ）は平面図、（ｂ）は正面図、（ｃ）は背面図、（ｄ）は側面図、（ｅ）は（ｂ）におけるＡ−Ａ線断面図である。
【図２】端子台の記号板及びカバーを取り外した状態を示す図であり、（ａ）は平面図、（ｂ）は正面図である。
【図３】導電金具を示す図であり、（ａ）は平面図、（ｂ）は正面図、（ｃ）は側面図、（ｄ）は止めネジ及び端子ネジを導電金具へ取り付ける様子を示す図である。
【図４】（ａ）は入力側電線をブロック部の開口部内へ挿入する様子を示す断面図、（ｂ）は端子台の使用状態を示す断面図、（ｃ）は端子台の使用状態を示す平面図である。
【図５】変形例における導電金具を示す図であり、（ａ）は平面図、（ｂ）は正面図、（ｃ）は側面図、（ｄ）は入力側及び出力側の止めネジを導電金具へ取り付ける様子を示す図である。
【図６】変形例における端子台の使用状態を示す断面図である。
【図７】（ａ）は従来例の端子台を示す平面図、（ｂ）は（ａ）の一の使用例を示す断面図、（ｃ）は（ａ）の他の使用例を示す断面図である。
【符号の説明】
【００６０】
１，１’    端子台
１０          ケース（絶縁性筐体）
２０，２０’  導電金具
２１          本体部
２２          入力側端子部
２３          出力側端子部
２３ａ        ネジ穴
２４          ブロック部
２４ａ        開口部
２４ｂ        上面部
２４ｃ        ネジ穴
２５          止めネジ
２６          端子ボルト（端子ネジ）
Ｃ１          入力側電線
Ｃ１ａ        導体部分
Ｃ２          出力側電線
ＣＴ２        圧着端子
【図１】
2009259576.tif 000003
【図２】
2009259576.tif 000004
【図３】
2009259576.tif 000005
【図４】
2009259576.tif 000006
【図５】
2009259576.tif 000007
【図６】
2009259576.tif 000008
【図７】
2009259576.tif 000009